(57)【要約】【課題】  本考案はリード・ワンス記録媒体に関するものである。リード・ワンス記録媒体はデータサブストレート、感光層、反射層、接着材層、及び透明なサブストレートによって構成されている。【解決手段】  光学的記憶装置がデータサブストレートを通過し敏感な層に焦点が合うと特有の力によって光線が放射される。その際、感光層、またはデータサブストレートの構造が変化する。それにより、感光層が光線を反射し光学的記憶装置に認知されなくなる。【選択図】    図１
0003128906.tif 000002
【実用新案登録請求の範囲】
【請求項１】
リード・ワンス記録媒体であって
複数の予め録音されたデータを所有するデータサブストレートと、
データサブストレートの上に配列する感光層と、
感光層の上に配列する反射層と、
反射層の上に配列する接着材層と、
接着材層の上に配列する透明なサブストレートを含み、
光学的記憶装置がデータサブストレートを通過し感光層に焦点が合うと特有の力によって光線が放射され、その際、感光層、またはデータサブストレートの構造が変化し、それにより、感光層が光線を反射し光学的記憶装置に認知されなくなることを特徴とするリード・ワンス記録媒体。
【請求項２】
データサブストレート及び透明なサブストレートはポリカーボネートなどのプラスチック素材でできていることを特徴とすることを請求項１に記載のリード・ワンス記録媒体。
【請求項３】
感光層は回転コーディング過程と有機染料がデータサブストレートにある事、または早口コーティング過程と無機合金材がデータサブストレートにある事によって作られることを特徴とすることを請求項１に記載のリード・ワンス記録媒体。
【請求項４】
光線のパワーは1.0ｍWを超え、リード・ワンス記録媒体は例にするとCD、DVD-ROM、HD  DVD-ROM、またはBD-ROMであることを特徴とすることを請求項１に記載のリード・ワンス記録媒体。
【請求項５】
光線がデータサブストレートを通り感光層に焦点が合うと感光層の反射性または屈折率が変化することを特徴とすることを請求項１に記載のリード・ワンス記録媒体。
【請求項６】
データサブストレートは光線が通ることによって起こる熱効果によって変形することを特徴とすることを請求項１に記載のリード・ワンス記録媒体。
【請求項７】
リード・ワンス記録媒体であって、複数の予め録音されたデータを所有するデータサブストレートと、
データサブストレートの上に配列する感光層と、
感光層の上に配列する反射層と、
反射層の上に配列する接着材層と、
接着材層の上に配列する透明なサブストレートとを含み、
光学的記憶装置がデータサブストレートを通過し感光層に焦点が合うと特有の力によって光線が放射される。その際、感光層、またはデータサブストレートの構造が変化する。それにより、感光層が光線を反射し光学的記憶装置に認知されなくなることを特徴とするリード・ワンス記録媒体。
【請求項８】
データサブストレート及び透明なサブストレートはポリカーボネートなどのプラスチック素材でできていることを特徴とすることを請求項7に記載のリード・ワンス記録媒体。
【請求項９】
感光層は回転コーディング過程と有機染料がデータサブストレートにある事、または早口コーティング過程と無機合金材がデータサブストレートにある事によって作られることを特徴とすることを請求項７に記載のリード・ワンス記録媒体。
【請求項１０】
光線のパワーは1.0ｍWを超え、リード・ワンス記録媒体は例にするとCD、DVD-ROM、HD  DVD-ROM、またはBD-ROMであることを特徴とすることを請求項7に記載のリード・ワンス記録媒体。
【請求項１１】
光線がデータサブストレートを通り感光層に焦点が合うと感光層の反射性または屈折率が変化することを特徴とすることを請求項7に記載のリード・ワンス記録媒体。
【請求項１２】
データサブストレートは光線が通ることによって起こる熱効果によって変形することを特徴とすることを請求項7に記載のリード・ワンス記録媒体。
【考案の詳細な説明】
【技術分野】
【０００１】
本考案はリード・ワンス記録媒体に関するものである。この記録媒体は感光層を所有し、光学的記憶装置がデータサブストレートを通過し感光層に焦点が合うと特有の力によって光線が放射される。その際、感光層、またはデータサブストレートの構造が変化する。それにより、感光層が光線を反射し光学的記憶装置に認知されなくなる。
【背景技術】
【０００２】
一般的に、オーディオと視覚ファイルはサーバーでダウンロードができ、古い案による単純なセキュリティチェック一つでDVD、またはCDプレーヤーで再生する事ができる。しかし、このようなチェックを行わないユーザーがいるので、DVD/CDの経営者はユーザーにファイルのダウンロード費を請求することができず、許可がされていないDVD/CDの使用が増えている。
【０００３】
現在、このような未許可のコピーを防ぐシステムや解決法は実在する。例えば、米国特許第5,991,403号  Aucsmith他は以降の圧縮の為、MPEG互換のビデオのデータをコード化する方式を発覚した。この方式は複数のビデオデータのフレーム（GOP）を検出し、GOPの暗号化のためにGOPに同期する代用、転位と回転を使っているビデオデータに鍵をかける。
【０００４】
米国特許第5,915,018号  Aucsmith他はDVD複写防護措置の為に役立つよう、暗号システムと暗号キーの安全な配布と管理の方式を発覚した。DVDディスクの第一部分に圧縮や暗号化された内容が書かれてあり、暗号化キーの内容自体が第二のキーで暗号化され、ディスクの第二の部分のバンドに書かれる。この内容暗号化キーは内容、キーとコントロール情報を提供するのに用いられる。
【０００５】
米国特許第5,991,403号は以降の圧縮のためにMPEG互換のビデオデータをコード化するのを明らかにし、米国特許第5,915,018号は暗号システムとDVD複写防護措置計画に用いられる暗号キーの安全な配布と管理のための方法を明らかにしている。しかし、これらの特許を受けたテクノロジーはシステム、及び方法を携帯装置に提供していない。LCDディスプレーを用いる携帯メディアプレーヤーなどの携帯装置はオーディオ・ビデオファイルを法的にDVD、またはCDにダウンロードでき、携帯装置で再生する事ができる。
【考案の開示】
【考案が解決しようとする課題】
【０００６】
従って、本考案の重要な目的はリード・ワンス記録媒体を用いることによって従来の装置の欠点を克服する事である。リード・ワンス記録媒体は複数の予め録音してあるデータを所有し、これらの予め録音されたデータは光学的記憶装置の特定レーザー力によって破壊される。
【０００７】
もう一つの目的はリード・ワンス記録媒体を用いることによって従来の機械の欠点を克服する事である。リード・ワンス記録媒体はデータの録音のため複数の溝を所有し、これらの録音データは光学的記憶装置の特定レーザー力によって破壊される。
【課題を解決するための手段】
【０００８】
以上述べた目的を達成するためにリード・ワンス記録媒体は以下の状態で構成されている：複数の予め録音されているデータを用いるデータサブストレート；データサブストレートの上に配列されている感光層；感光層の上に配列されている反射層；反射層の上に配列されている接着材層；そして接着材層の上に配列されている透明なサブストレート。光学的記憶装置がデータサブストレートを通過し感光層に焦点が合うと特有の力によって光線が放射される。その際、感光層、またはデータサブストレートの構造が変化する。それにより、感光層が光線を反射し光学的記憶装置に認知されなくなる。
【０００９】
以上述べた目的を達成するためにリード・ワンス記録媒体は以下の状態で構成されている：データの録音のため複数の溝データを用いるデータサブストレート；データサブストレートの上に配列されている感光層；感光層の上に配列されている反射層；反射層の上に配列されている接着材層；そして接着材層の上に配列されている透明なサブストレート。従って、光学的記憶装置がデータ基盤を通過し感光層に焦点が合うと特有の力によって光線が放射されると感光層、またはデータ基盤の構造が変化する。それにより、感光層が光線を反射し光学的記憶装置に認知されなくなる。
【考案の効果】
【００１０】
本考案に係るリード・ワンス記録媒体は記録媒体の内容のみを１回読取って読取ることができないため、データが光学的記憶装置に読まれた後破壊されることによって未許可のコピーを防止し、ひいては記録媒体装置のデータを保護する事ができる。リード・ワンス記録媒体の細かい構成は以下のように説明できる。
【考案を実施するための最良の形態】
【００１１】
図１を参照すると、考案を実施するための最良の形態によるリード・ワンス記録媒体の横断面見方を示している。図が示すように、リード・ワンス記録装置1は例にするとCD、DVD-ROM、HD  DVD-ROM、またはBD-ROMである。これらは以下を含む：データサブストレート11、感光層12、屈折層13、接着材層14と透明な層15。
【００１２】
データサブストレート11はポリカーボネート（PC）などのプラスチック素材で構成されている。また、データサブストレート11はコンピュータソフトウェア、イメージデータやオーディオデータなどの予め録音された（または焼かれた）データ111を所有している。
【００１３】
感光層12はデータサブストレート11の上に配列しており、光の感度を持ちデータサブストレート11に焦点が合うと特有の力によって光線が放射される。その際、データサブストレートの構造が変化する。感光層12は回転コーディング過程と有機染料がデータサブストレート11にある事、または早口コーティング過程と無機合金材がデータサブストレート11にある事によって作られる。
【００１４】
反射層13は感光層12の上に配列しており、光学的記憶装置によって発される光線を反射することができる。反射された光線は光学的記憶装置の光検出器に認知される。反射層13は銀や銀の合金などで作られているが、これに関しては既に最先端記述によって説明されているため以下は省略する。
【００１５】
接着材層14はデータサブストレート11と透明なサブストレート15を付着するため反射層13の上に配列している。
【００１６】
透明なサブストレート15は接着材層14の上に配列しており、写真や文字などの印刷で使用するポリカーボネート（PC）などのプラスチック素材で作られている。
【００１７】
リード・ワンス記録媒体1の感光層12はデータサブストレート11の上に配列しており、光学的記憶装置がデータサブストレート11を通過し感光層12に焦点が合うと特有の力によって光線が放射される。その際、感光層12、またはデータサブストレート11の構造が変化する。これによって光線が感光層12に反射され、光学的記憶装置に認知されなくなる。この際、光線のパワーは1.0ｍWを超える。光線がデータサブストレートを通り感光層12に焦点が合うと感光層12の反射性または屈折率が変化する。従って、感光層12に反射された光線は光学的記憶装置に認知されず、またデータサブストレート11は光線が通ることによって起こる熱効果（大体300~400℃）によって変形する。この際感光層12に反射された光線は光学的記憶装置に認知されなくなる。よって、記録媒体1の予め録音されたデータ111は破壊され、特有な光線に読まれた後感光層12、またはデータサブストレート11の構成が変わり、光学的記憶装置の光検出器に認知されなくなる。結果的に、記録媒体１の予め録音されたデータ111は一度しか読まれず、コンテントプロバイダーはCDやDVDの販売価格を下げる気になることを予測する。
【００１８】
図2を参照すると、もう一つの考案を実施するための最良の形態によるリード・ワンス記録媒体2の横断面見方である。図が示すように、本考案のROM2はCD,DVD-ROM、HD  DVD-ROM、またはBD-ROMなどである。これらは以下を含む：データサブストレート21、感光層22、屈折層23、接着材層24、と透明なサブストレート25。
【００１９】
データサブストレート21はポリカーボネート（PC）などのプラスチック素材で作られ、データサブストレート11はコンピュータソフトウェア、イメージデータやオーディオデータなどデータを録音する複数の溝がある。
【００２０】
感光層22はデータサブストレート21の上に配列し、光の感度を持ち、光学的記憶装置がデータサブストレート21を通過し焦点が合うと特有の力によって光線が放射される。その際感光層22の構造が変化する。感光層22は回転コーディング過程と有機染料がデータサブストレート21にある事、または早口コーティング過程と無機合金材がデータサブストレート21にある事によって作られる。
【００２１】
反射層23は感光層22の上に配列し、光学的記憶装置によって発される光線を反射することができる。反射された光線は光学的記憶装置の光検出器に認知される。反射層23は銀や銀の合金などで作られているが、これに関しては既に最先端記述によって説明されているため以下は省略する。
【００２２】
接着材層24はデータサブストレート21と透明なサブストレート25を付着するため反射層23の上に配列している。
【００２３】
透明なサブストレート25は接着材層24の上に配列しており、写真や文字などの印刷で使用するポリカーボネート（PC）などのプラスチック素材で作られている。
【００２４】
本考案で製作されているリード・ワンス記録媒体2はコンテントプロバイダーに予めイメージデータやオーディオデータを溝211に録音させる事ができる。この際、光学的記憶装置がデータサブストレート21を通過し感光層22に焦点が合うと特有の力によって光線が放射される。その際、感光層22、またはデータサブストレート21の構造が変化する。これによって光線が感光層22に反射され、光学的記憶装置に認知されなくなる。この際、光線のパワーは1.0ｍWを超える。光線がデータサブストレートを通り感光層22に焦点が合うと感光層22の反射性または屈折率が変化する。従って、感光層22に反射された光線は光学的記憶装置に認知されず、またデータサブストレート21は光線が通ることによって起こる熱効果（大体300~400℃）によって変形し、溝211に録音されたデータが破壊される。この際、感光層22に反射された光線は光学的記憶装置に認知されなくなる。したがって、記録媒体2の溝211に録音されたデータは破壊され、特有な光線に読まれた後、感光層22、またはデータサブストレート21の構成が変わり、光学的記憶装置の光検出器に認知されなくなる。結果的に、リード・ワンス記録媒体2の溝211に録音されたデータは一度しか読まれず、コピー不可になる。従って、コンテントプロバイダーはCDやDVDの販売価格を下げる気になることを予測する。
【００２５】
本考案を実施すると、リード・ワンス記録媒体は感光層があり、光学的記憶装置がデータサブストレートを通過し感光層に焦点が合うと特有の力によって光線が放射される。その際、感光層、またはデータサブストレートの構造が変化する。それにより、感光層が光線を反射し光学的記憶装置に認知されなくなる。従って、本考案は間違いなく未許可コピーを防ぐための古い案の欠点を解決する事が可能である。
【００２６】
以上実用新案は例や考案を実施するための最良の形態などで説明されたが、決して以上述べた例には限らないという理解が必要である。添付の主張の幅広い範囲として全ての修正や類似の準備や手順を受け入れることを目的とする。
以上の説明をまとめると、本考案は従来の構造よりパフォーマンスを強化し、特許出願の必要条件に応じ、相応した特許権の同意を求め、登録商標特許庁に提供する。
【図面の簡単な説明】
【００２７】
【図１】考案を実施するための最良の形態によるリード・ワンス記録媒体の横断面見方。
【図２】もう一つの考案を実施するための最良の形態によるリード・ワンス記録媒体の横断面見方。
【符号の説明】
【００２８】
１  記録媒体
１１  データサブストレート11
１２  感光層
１３  反射層
１４  接着材層
１５  透明なサブストレート
１１１録音されたデータ
２    リード・ワンス記録媒体
２１  データサブストレート
２１１ 溝
２２  感光層
２３  反射層
２４  接着材層
２５  透明なサブストレート
【図１】
0003128906.tif 000003
【図２】
0003128906.tif 000004
【手続補正書】
【提出日】平成18年11月17日(2006.11.17)
【手続補正１】
【補正対象書類名】実用新案登録請求の範囲
【補正対象項目名】請求項７
【補正方法】変更
【補正の内容】
【請求項７】
リード・ワンス記録媒体であって、複数の予め録音されたデータを所有するデータサブストレートと、データサブストレートの上に配列する感光層と、感光層の上に配列する反射層と、反射層の上に配列する接着材層と、接着材層の上に配列する透明なサブストレートとを含み、光学的記憶装置がデータサブストレートを通過し感光層に焦点が合うと特有の力によって光線が放射され、その際、感光層、またはデータサブストレートの構造が変化し、それにより、感光層が光線を反射し光学的記憶装置に認知されなくなることを特徴とするリード・ワンス記録媒体。